(57)【要約】【課題】  狭い場所にも飾ることができ、収納容易で、収納状態における破損の虞が小さく、しかも、豪華さのある節句飾りを提供する。【解決手段】  中央収納部１と、中央収納部１の両側に観音開き状に回動自在に取着された１対の側方収納部２、２とを備え、中央収納部１と各側方収納部２とは、それぞれ、内部に節句用装飾体４が収納されて、前面１０、２０の少なくとも１部が内部を視認可能な透明部１８、２８とされ、両方の側方収納部２、２を閉じたときに、両方の側方収納部２、２の前面２０、２０からなる面と、中央収納部１の前面１０とが、合わさるように構成されていることを特徴とする節句飾りＳ。【選択図】  図６
2005312784.tif 000002
【特許請求の範囲】
【請求項１】
中央収納部と、前記中央収納部の両側に観音開き状に回動自在に取着された１対の側方収納部とを備え、
前記中央収納部と前記各側方収納部とは、それぞれ、内部に節句用装飾体が収納されて、前面の少なくとも１部が前記内部を視認可能な透明部とされ、
両方の前記側方収納部を閉じたときに、両方の前記側方収納部の前面からなる面と、前記中央収納部の前面とが、合わさるように構成されていることを特徴とする節句飾り。
【発明の詳細な説明】
【技術分野】
【０００１】
本発明は、狭い場所に飾ることができ、収納容易な節句飾りに関する。
【背景技術】
【０００２】
従来、狭い場所に飾ることができる節句飾りとしては、ガラスケースの中に、雛人形や五月人形、鎧、兜等を収納したものが知られている。また、板の上に雛人形等を薄く形成し、その板を額縁に嵌めて額状とした節句飾りも知られている。
【０００３】
なお、先行技術文献調査は行っていないので、記載すべき先行技術文献情報は無い。
【発明の開示】
【発明が解決しようとする課題】
【０００４】
しかし、ガラスケースに雛人形等を収納した従来の節句飾りは、箱への収納時にガラスケースを破損しないよう、ガラスの部分を持たないように注意しながら箱に収めなければならず、収納が容易でないという問題があった。また、箱に収納された状態においても、箱とガラスケースが近接しているため、箱に何かが当たった場合等にはガラスケースが破損し易いという問題もあった。
【０００５】
また、額状の雛飾りは、立体感に乏しいため、豪華さに欠けるという問題があった。
【０００６】
この発明は、上述した問題を解決するものであり、狭い場所にも飾ることができ、収納容易で、収納状態における破損の虞が小さく、しかも、豪華さのある節句飾りを提供することを目的とする。
【課題を解決するための手段】
【０００７】
本発明の節句飾りは、中央収納部と、前記中央収納部の両側に観音開き状に回動自在に取着された１対の側方収納部とを備え、前記中央収納部と前記各側方収納部とは、それぞれ、内部に節句用装飾体が収納されて、前面の少なくとも１部が前記内部を視認可能な透明部とされ、両方の前記側方収納部を閉じたときに、両方の前記側方収納部の前面からなる面と、前記中央収納部の前面とが、合わさるように構成されていることを特徴とする。
【発明の効果】
【０００８】
本発明の節句飾りは、両方の側方収納部を適当な角度に開いて飾れば、狭い場所にも飾ることができる。そして、中央収納部と各側方収納部の内部に、それぞれ装飾体を立体的に飾ることができ、かかる中央収納部と各側方収納部とが横に広がりを持って配置されるので、立体感があり、豪華さがある。
【０００９】
また、両方の側方収納部を閉じれば、両方の側方収納部の前面からなる面と中央収納部の前面とが合わさることにより、透明部が節句飾りの内側に配置されるので、かかる状態で節句飾りを箱に収納すれば、透明部が破損する虞が小さく、収納容易である。そして、箱に収納した状態においても、透明部が箱に近接していないので、破損の虞が小さくなる。
【発明を実施するための最良の形態】
【００１０】
以下、本発明の一実施形態を図面に基づいて説明する。
【００１１】
図１〜図６に示すように、節句飾りＳは、中央収納部１と、中央収納部１の両側に観音開き状に回動自在に取着された１対の側方収納部２、２とを備えている。
【００１２】
中央収納部１は、左右の側面、上面、及び、下面を形成する略矩形筒状の木製の枠部１１と、枠部１１によって形成される前面開口部を閉塞する透明のプラスチック製の透明板１４と、枠部１１によって形成される後面開口部を閉塞する背板１５とを備え、高さ及び横の長さに比して奥行きが短い略直方体形状の箱状に形成されている。すなわち、中央収納部１の前面１０は、枠部１１からなる周縁部１０ａを除いて、透明板１４により形成される透明部１８とされ、中央収納部１は、透明部１８を通して内部１３が視認可能とされている。なお、周縁部１０ａは、透明部１８よりも前方に突出している。
【００１３】
背板１５は、木製の板に布、紙等を貼着したもので形成されており、複数の係止具１６により枠部１１に係止されて、係止具１６を回動させることにより枠部１１から脱着可能である。
【００１４】
中央収納部１の内部１３には、節句用装飾体（以下、装飾体と略す。）４が収納されている。装飾体４とは、節句に用いられる飾りであり、例えば、三月の節句用としては、雛人形、雛壇、雛道具、屏風、簾、飾り用の灯明・桜・橘等があり、五月の節句用としては、五月人形、鯉幟、飾り用の兜・鎧・太刀・弓矢等がある。
【００１５】
各側方収納部２は、左右の側面、上面、及び、下面を形成する略矩形筒状の木製の枠部２１と、枠部２１によって形成される前面開口部を閉塞する透明のプラスチック製の透明板２４と、枠部２１によって形成される後面開口部を閉塞する背板２５とを備え、高さ及び横の長さに比して奥行きが短い略直方体形状の箱状に形成されている。なお、各側方収納部２の高さ及び奥行きは、中央収納部１の高さ及び奥行きと、それぞれ同一とされているが、各側方収納部２の横の長さＬ２（図２参照）は、中央収納部１の横の長さＬ１（図２参照）の半分とされている。各側方収納部２の内部２３には、装飾体４が収納されている。
【００１６】
そして、各側方収納部２の前面２０は、枠部２１からなる周縁部２０ａを除いて、透明板２４により形成される透明部２８とされ、各側方収納部２は、透明部２８を通して内部２３が視認可能とされている。なお、周縁部２０ａは、透明部２８よりも前方に突出している。
【００１７】
また、各背板２５は、木製の板に布、紙等を貼着したもので形成されており、複数の係止具２６により枠部２１に係止され、係止具２６を回動させることにより枠部２１から脱着可能である。
【００１８】
そして、中央収納部１の右側（図１の紙面に向かって右側）に取着される側方収納部２では、枠部２１の左側前端部２１ｂと、中央収納部１の枠部１１の右側前端部１１ａとが、蝶番５を介して連結され、中央収納部１の左側（図１の紙面に向かって左側）に取着される側方収納部２では、枠部２１の右側前端部２１ａと、中央収納部１の枠部１１の左側前端部１１ｂとが、蝶番５を介して連結されて、前面１０の両側に前面２０、２０が連なっている。
【００１９】
以上のように構成された節句飾りＳの作用について、次に説明する。
【００２０】
節句飾りＳを飾るときは、図１〜図６に示すように、側方収納部２、２を外側に回動させて適当な角度に開き、飾りたい場所に節句飾りＳを置く。各側方収納部２は、図７に示すような閉じた位置から、蝶番５を中心として外側に１８０°開くこと、すなわち、図２の２点鎖線で示すように、各側方収納部２の前面２０が中央収納部１の前面１０と略面一をなす状態まで開くことができるが、そのような状態まで開くと倒れ易くなるため、各前面２０が前面１０に対して９０°より大きく１８０°より小さい角度をなすように開くことが望ましい。
【００２１】
このように、側方収納部２、２を適当な角度に開いて節句飾りＳを飾れば、奥行きが余り無いような狭い場所にも、節句飾りＳを飾ることができる。そして、側方収納部２、２を中央収納部１の両側から斜め前方に突出するように開けば、節句飾りＳは立てかけなくても自立し、しかも倒れにくい。
【００２２】
そして、中央収納部１と各側方収納部２とは、それぞれ、ある程度の奥行きを有し、内部１３、２３に立体的に装飾体４を飾ることができる。そして、かかる中央収納部１と各側方収納部２とが横に広がりを持って配置されるので、節句飾りＳは、立体感があり、豪華さがあって、飾り映えがする。
【００２３】
節句飾りＳを収納するときは、側方収納部２、２を内側に回動して、図７に示すように、側方収納部２、２を両方とも閉じる。各側方収納部２の高さは、中央収納部１の高さと同一とされ、各側方収納部２の横の長さＬ２は、中央収納部１の横の長さＬ１の半分とされているので、両方の側方収納部２、２を閉じたときには、側方収納部２の自由端面２２同士が当接し、両方の前面２０、２０が略面一をなして、前面２０、２０からなる面３０が、前面１０と合わさることとなる。このため、透明部２８、２８及び透明部１８は、節句飾りＳの内側に配置され、外面には露出しないこととなる。
【００２４】
なお、「合わさる」とは、一部に隙間がある状態で合わさる場合を含むものとする。すなわち、両方の側方収納部２、２を閉じたときに、周縁部２０ａ、２０ａが周縁部１０ａと当接するため、面３０と前面１０とは、透明部２８、２８と透明部１８との間に隙間がある状態で合わさることとなるが、かかる場合を含むものとする。このように、透明部２８、２８と透明部１８との間に隙間がある状態で合わさることにより、透明部２８、２８と透明部１８とが接触することによる傷や破損を防止することができる。
【００２５】
そして、このように両方の側方収納部２、２を閉じた状態で、節句飾りＳを箱に収納すれば、透明部１８や透明部２８、２８が、節句飾りＳの内側に配置されているので、透明部１８や透明部２８、２８を、誤って持ったり何かにぶつけたりして破損してしまう虞がなく、収納容易である。そして、箱に収納した状態においても、透明部１８や透明部２８、２８が箱に近接していないので、箱に何かが当たった場合等でも、破損の虞は小さい。
【００２６】
次に、他の実施形態の節句飾りＳ１を、図８に示す。なお、節句飾りＳの各構成要素と対応する構成要素には、同一の符号を用いる。節句飾りＳ１では、中央収納部１の上面１９を略円弧面状とし、各側方収納部２の上面２９を、両方の側方収納部２、２を閉じたときに、両方の上面２９、２９で上面１９と同一形状をなすような略円弧面状としている。また、内部１３に飾られる装飾体４を、雛人形等に変更している。このように、中央収納部１及び各側方収納部２の形状や、装飾体４は、適宜変更可能である。
【００２７】
なお、上記実施形態では、透明部１８、２８をプラスチック製の透明板１４、２４で形成したが、透明部１８、２８をガラス製の透明板で形成することとしてもよい。
【００２８】
また、枠部１１、２１は、木製でなくてもよく、金属製、硬質プラスチック製等でもよい。要するに、破損しにくい材質のものであればよい。背板１５、２５についても同様である。
【００２９】
すなわち、特許請求の範囲を逸脱しない範囲で、本発明は種々の構成を採り得る。
【図面の簡単な説明】
【００３０】
【図１】本発明の一実施形態の節句飾りの正面図であり、側方収納部を開いた状態を示す。
【図２】図１の節句飾りの平面図である。
【図３】図１の節句飾りの右側面図である。
【図４】図１の節句飾りの背面図である。
【図５】図１の装飾体を省略したＡ−Ａ線断面図である。
【図６】図１の節句飾りの斜視図である。
【図７】図１の節句飾りの側方収納部を閉じた状態の斜視図である。
【図８】本発明の他の実施形態の節句飾りの正面図であり、側方収納部を開いた状態を示す。
【符号の説明】
【００３１】
１…中央収納部
２…側方収納部
４…装飾体
１０…前面
１８…透明部
２０…前面
２８…透明部
３０…面
Ｓ、Ｓ１…節句飾り
【図１】
2005312784.tif 000003
【図２】
2005312784.tif 000004
【図３】
2005312784.tif 000005
【図４】
2005312784.tif 000006
【図５】
2005312784.tif 000007
【図６】
2005312784.tif 000008
【図７】
2005312784.tif 000009
【図８】
2005312784.tif 000010